【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
外部表示装置と通信する通信手段と、
画像生成手段と、
前記画像生成手段によって生成される画像を表示する表示手段及びユーザ操作を受け付けるタッチパネルを具備するタッチパネル表示部と、
前記画像生成手段によって生成される画像の、ユーザが指定する位置に重畳すべきポインタを生成する生成手段と、
前記画像生成手段によって生成される画像か、前記画像生成手段によって生成される画像に前記ポインタを重畳した合成画像を前記外部表示装置に送信するように前記通信手段を制御する制御手段であって、前記タッチパネルへのポインティング操作に応じて、前記ポインティング操作から一定時間、前記合成画像を前記外部表示装置に送信するように前記通信手段を制御する制御手段
とを具備することを特徴とする表示制御装置。
【請求項２】
前記合成画像の前記外部表示装置への送信を有効化する第１のモードと、前記合成画像を前記外部表示装置に送信しない第２のモードを具備し、
前記タッチパネル表示部に前記第１のモードと前記第２のモードを切り替えるモード切替え釦を表示し、
前記モード切替え釦の押下に従い、前記第１のモードと前記第２のモードが切り替わる
ことを特徴とする請求項１に記載の表示制御装置。
【請求項３】
前記第１のモードでは、前記タッチパネル表示部に対する入力として、前記モード切替え釦に対する操作と前記ポインティング操作のみを有効とし、
前記第２のモードでは、前記制御手段は、前記タッチパネルへのポインティング操作に関わらず、前記画像生成手段によって生成される画像を前記外部表示装置に送信するように前記通信手段を制御する
ことを特徴とする請求項２に記載の表示制御装置。
【請求項４】
外部表示装置と通信する通信手段と、
画像生成手段と、
前記画像生成手段によって生成される画像を表示する表示手段及びユーザ操作を受け付けるタッチパネルを具備するタッチパネル表示部と、
前記画像生成手段によって生成される画像の、ユーザが指定する位置に重畳すべきポインタを生成する生成手段と、
前記画像生成手段によって生成される画像を前記通信手段を介して前記外部表示装置に送信し、前記タッチパネルへのポインティング操作から一定時間、ユーザが前記タッチパネルにポインティングしている位置情報を前記通信手段を介して前記外部表示装置に送信すると共に前記表示部に前記ポインタを表示するように制御する制御手段
とを具備することを特徴とする表示制御装置。
【請求項５】
外部表示装置と通信する通信手段と、
画像生成手段と、
操作用ＧＵＩを生成するＧＵＩ生成手段と、
前記画像生成手段によって生成される画像に前記操作用ＧＵＩを重畳して表示する表示手段及びユーザ操作を受け付けるタッチパネルを具備するタッチパネル表示部と、
前記画像生成手段によって生成される画像の、ユーザが指定する位置に重畳すべきポインタを生成する生成手段と、
前記画像生成手段によって生成される画像か、前記画像生成手段によって生成される画像に前記ポインタを重畳した合成画像を前記外部表示装置に送信するように前記通信手段を制御する制御手段であって、前記タッチパネルへのポインティング操作に応じて、前記ポインティング操作から一定時間、前記合成画像を前記外部表示装置に送信するように前記通信手段を制御する制御手段と、
前記操作用ＧＵＩに対する操作に応じて、前記画像生成手段が生成する画像を制御する手段
とを具備することを特徴とする表示制御装置。
【請求項６】
外部表示装置と通信する通信手段と、
画像生成手段と、
前記画像生成手段によって生成される画像を表示する表示手段及びユーザ操作を受け付けるタッチパネルを具備するタッチパネル表示部と、
前記画像生成手段によって生成される画像の、ユーザが指定する位置に重畳すべきポインタを生成する生成手段
とを有し、前記外部表示装置に画像情報を送信して画像を表示させる表示制御装置の制御方法であって、
前記画像生成手段によって生成される画像を前記外部表示装置に送信するように前記通信手段を制御し、
前記タッチパネルへのポインティング操作に応じて、前記ポインティング操作から一定時間、前記画像生成手段によって生成される画像に前記ポインタを重畳した合成画像を前記外部表示装置に送信するように前記通信手段を制御する
ことを特徴とする表示制御装置の制御方法。
【請求項７】
前記合成画像の前記外部表示装置への送信を有効化する第１のモードと、前記合成画像を前記外部表示装置に送信しない第２のモードを具備し、
前記タッチパネル表示部に前記第１のモードと前記第２のモードを切り替えるモード切替え釦を表示し、
前記モード切替え釦の押下に従い、前記第１のモードと前記第２のモードが切り替える
ことを特徴とする請求項６に記載の表示制御装置の制御方法。
【請求項８】
前記第１のモードでは、前記タッチパネル表示部に対する入力として、前記モード切替え釦に対する操作と前記ポインティング操作のみを有効とし、
前記第２のモードでは、前記タッチパネルへのポインティング操作に関わらず、前記画像生成手段によって生成される画像を前記外部表示装置に送信するように前記通信手段を制御する
ことを特徴とする請求項７に記載の表示制御装置の制御方法。
【請求項９】
外部表示装置と通信する通信手段と、
画像生成手段と、
前記画像生成手段によって生成される画像を表示する表示手段及びユーザ操作を受け付けるタッチパネルを具備するタッチパネル表示部と、
前記画像生成手段によって生成される画像の、ユーザが指定する位置に重畳すべきポインタを生成する生成手段
とを有し、前記外部表示装置に画像情報を送信して画像を表示させる表示制御装置の制御方法であって、
前記画像生成手段によって生成される画像を前記外部表示装置に送信するように前記通信手段を制御するステップと、
前記通信手段により前記画像生成手段によって生成される画像の前記外部表示装置への送信を開始すると、ユーザが前記タッチパネルにポインティングしている位置情報を前記通信手段により前記外部表示装置に送信させるステップと、
前記タッチパネルへのポインティング操作に応じて、前記ポインティング操作から一定時間、前記画像生成手段によって生成される画像に前記ポインタを重畳した合成画像を前記外部表示装置に送信するように前記通信手段を制御するステップ
とを具備することを特徴とする表示制御装置の制御方法。
【請求項１０】
外部表示装置と通信する通信手段と、
画像生成手段と、
操作用ＧＵＩを生成するＧＵＩ生成手段と、
前記画像生成手段によって生成される画像に前記操作用ＧＵＩを重畳して表示する表示手段及びユーザ操作を受け付けるタッチパネルを具備するタッチパネル表示部と、
前記画像生成手段によって生成される画像の、ユーザが指定する位置に重畳すべきポインタを生成する生成手段
とを有し、前記外部表示装置に画像情報を送信して画像を表示させる表示制御装置の制御方法であって、
前記画像生成手段によって生成される画像を前記外部表示装置に送信するように前記通信手段を制御するステップと、
前記操作用ＧＵＩに対する画像の操作に応じて、前記画像生成手段が生成する画像を制御するステップと、
前記操作用ＧＵＩに対するポインティング操作に応じて、前記ポインティング操作から一定時間、前記画像生成手段によって生成される画像に前記ポインタを重畳した合成画像を前記外部表示装置に送信するように前記通信手段を制御するステップ
とを具備することを特徴とする表示制御装置の制御方法。
【請求項１１】
携帯端末を請求項１ないし５の何れか１項に記載される表示制御装置として機能させるための表示制御プログラム。
【手続補正２】
【補正対象書類名】明細書
【補正対象項目名】００１３
【補正方法】変更
【補正の内容】
【００１３】
本発明に係る表示制御装置は、外部表示装置と通信する通信手段と、画像生成手段と、前記画像生成手段によって生成される画像を表示する表示手段及びユーザ操作を受け付けるタッチパネルを具備するタッチパネル表示部と、前記画像生成手段によって生成される画像の、ユーザが指定する位置に重畳すべきポインタを生成する生成手段と、前記画像生成手段によって生成される画像か、前記画像生成手段によって生成される画像に前記ポインタを重畳した合成画像を前記外部表示装置に送信するように前記通信手段を制御する制御手段であって、前記タッチパネルへのポインティング操作に応じて、前記ポインティング操作から一定時間、前記合成画像を前記外部表示装置に送信するように前記通信手段を制御する制御手段とを具備することを特徴とする。